(57)【要約】【課題】操作素子を人間工学上好ましい形態に作り上げ、調整命令に鋭敏に対応できるモータ駆動フォーカシング装置付き顕微鏡に使用される焦点位置手動調整装置。【解決手段】移動距離の予備設定用第１操作素子と移動速度の予備設定用第２操作素子を有し、両操作素子は、主として回転ノブの形態に構成されており、第１回転ノブの回転角度によってフォーカシング移動のための移動距離が、第２回転ノブの回転角度によってフォーカシング移動のための移動速度が予備設定され、第１回転ノブの回転角の変動が移動距離の変動に、第２回転ノブの回転角の変動が移動速度の変動に比例する。【選択図】図１
2004517365.tif 000002
【特許請求の範囲】
【請求項１】
モータ駆動フォーカシング装置付き顕微鏡に使用される焦点位置手動調整装置において、
−  フォーカシング移動における移動距離の予備設定のための第１操作素子、および
−  フォーカシング移動における移動速度の予備設定のための第２操作素子が、装備され、
−  フォーカシング移動が、第１操作素子かまたは第２操作素子によって誘導でき、その両操作素子が互いに独立して操作できることを特徴とする焦点位置手動調整装置。
【請求項２】
両操作素子が両回転ノブ（１、２）の形態に構成されていて、
−  両回転ノブ（１、２）の回転方向によってフォーカシング移動の移動方向が、
−  第１回転ノブ（１）の回転角度によってフォーカシング移動の移動距離が、
−  第２回転ノブ（２）の回転角度によってフォーカシング移動の移動速度が夫々予備設定され、
−  第１回転ノブ（１）の回転角の変動が移動距離の変動に、第２回転ノブ（２）の回転角の変動が移動速度の変動に比例している
ことを特徴とする請求項１に記載の装置。
【請求項３】
両回転ノブ（１、２）が、同心位置にあって共通軸の周りを回転できるように、同一軸上に重なって配置されていて、第１回転ノブが第２回転ノブより小さな直径に作られていることを特徴とする請求項２に記載の装置。
【請求項４】
第１回転ノブ（１）が、左右両方向に自由に回転でき、回転角は両方向とも角度増分目盛で区分されていて、それぞれの角度増分が、移動距離の単一または複数距離増分に相当することを特徴とする請求項３に記載の装置。
【請求項５】
第２回転ノブ（２）が、両回転方向のいずれについても、回転角の増加と共に増大する復元力に逆らって、「ゼロ」位（５）から予備設定したそれぞれの終端位置に到るまで回転可能であり、その場合、「ゼロ」位（５）における移動速度は「ゼロ」であり、それぞれの終端位置で移動速度が最高値に到達することを特徴とする請求項２から４のうちの１つに記載の装置。
【請求項６】
第２回転ノブ（２）の回転角が、両回転方向ともそれぞれ最大４５°に限定されていることを特徴とする請求項５に記載の装置。
【請求項７】
操作素子、つまり両回転ノブ（１、２）が、回転角度依存性調整信号の生成用調整素子を介して、顕微鏡の操作、制御装置と連結していることを特徴とする先行請求項の１つに記載の装置。
【発明の詳細な説明】
【０００１】
【発明が属する技術分野】
本発明は、モータ駆動フォーカシング装置付き顕微鏡に使用される焦点位置手動調整装置に関するものである。
【０００２】
【従来の技術】
顕微鏡観察における基本的前提条件は、観察対象である試料片への焦準である。観察試料片への焦準に必要不可欠なフォーカシング移動は、旧来型構造の顕微鏡の場合では大きな伝動機能と非常に鋭敏な調整機能とを持つ伝動装置によって実現される。
フォーカシング移動は、例えば、その回転運動をスピンドル／ナット式位置調整装置を介してテーブルまたは顕微鏡ケーシングに伝達し、それにより顕微鏡本体と試料間の相体移動を行う調整つまみの回転によって手動的に起こさせることができる。
【０００３】
そのほかフォーカシング装置も常用されており、試料と顕微鏡本体の相体的ポジショニングは、移動速度ばかりか移動距離も予備設定できる一定の制御機能を持つステップモータによって行われる。以下に説明する本発明もこの技術分野に属しており、フォーカシング移動速度および所望フォーカシング移動方向での移動距離は手動操作素子からの制御命令によって予備設定される。
【０００４】
【発明が解決しようとする課題】
その場合本発明が課題とするところは、操作素子を人間工学上好ましい形態に作り上げ、調整命令に鋭敏に対応できるようにすることである。
【０００５】
【課題を解決するための手段】
本発明に基づく焦点位置調整装置は、移動方向、移動距離の予備設定用第１操作素子と移動速度の予備設定用第２操作素子を有している。
両操作素子は、主として回転ノブの形態に構成されており、第１回転ノブの回転角度によってフォーカシング移動のための移動距離が、第２回転ノブの回転角度によってフォーカシング移動のための移動速度が予備設定される。その場合、第１回転ノブの回転角の変動が移動距離の変動に、第２回転ノブの回転角の変動が移動速度の変動に比例している。フォーカシング移動の方向は、いずれの場合も回転ノブの回転方向によって予備設定される。
【０００６】
特に好ましい実施態様では、両回転ノブが同心位置にあって共通軸の周りを回転できるように、同一軸上に重なって配置されている。尚、第１回転ノブは第２回転ノブより小さな直径に作られている。両回転ノブは制御接続部または回転角度依存性調整信号の生成用調整素子を介して顕微鏡の操作、制御装置と連結している。
【０００７】
この装置によればフォーカシングが、それも微調整フォーカシングでも負担を感じるほどの労力を使わずに容易に、鋭敏な精度で行えるので、現技術レベルにある公知の装置に比べてはるかに有利である。そのほか、例えば大きく距離移動する場合に、回転ノブの回転量を追加調整する必要がないことも長所である。
【０００８】
第１回転ノブは左右両方向に自由に回転できる。回転角は両方向とも角度増分目盛で区分されており、それぞれの角度増分が移動距離の単一または複数距離増分に相当する。
第２回転ノブは、両回転方向のいずれについても、回転角の増加と共に増大する復元力に逆らって、「ゼロ」位から予備設定したそれぞれの終端位置に到るまで回転可能なものが有利である。その場合、「ゼロ」位における移動速度は「ゼロ」であり、回転角が一方の方へ、あるいはもう一方の方へ拡大することが移動速度の増大を意味している。それぞれの終端位置で移動速度は最高値に到達する。
特に好ましいのは、終端位置に到るまでの第２回転ノブの回転角が両回転方向ともそれぞれ最大４５°に限定されていることである。
【０００９】
第２回転ノブは、それを終端位置の一方向へ回転させていくに連れ反力が増大するので、回転ノブを放すや否や「ゼロ」位に戻り、同時にフォーカシング移動が停止する。
このようにして操作は非常に簡便になる。即ち、移動速度の予備設定による粗調整も移動距離の予備設定による微調整も、手の指により極めて鋭敏な精度で行うことができる上に、その一方では、移動と共に変化する試料片鮮明度を接眼レンズで観察することができる。
【００１０】
本発明に基づく装置は、好ましくも立体顕微鏡のモータ駆動体においても使用できる。その場合試料テーブルは、通常、固定状態で配置され、他方、立体顕微鏡本体は、フォーカシング目的に全体が上下しなければならないが、ここでは記述の方法によりこれが鋭敏な精度で、しかも労力負担なく行える。
【００１１】
【発明の実施の形態】
以下では、本発明を実施例に基づきより詳しく説明する。図は、本発明に基づく装置の原理構造を示したものである。
図に描かれた構造では、回転ノブ２形式の第２操作素子がフォーカシングの粗調整用として取り付けられている。もう１つの別な回転ノブ１形式である第１操作素子はフォーカシングの微調整に用いられる。
【００１２】
フォーカシング移動とは、ここでは常にＺ座標方向での調整移動、例えば試料深部内の選択部分に顕微鏡を焦準するための調整移動のことを言う。
本発明ではさらに、回転ノブ１および２が同心位置にあって共通軸３の周りを回転できるように、双方を同一軸上に重なって配置することもできる。そうすれば、図の右寄り部分に描かれた透光型顕微鏡４の原理図から認められるように、例えば回転ノブ２は、回転ノブ１と顕微鏡本体のケーシング表面との間に位置することになる。その場合では、第１回転ノブ１は、第２回転ノブ２より小さな直径に作られている。
【００１３】
本発明に基づく装置のもう１つの特徴として、第２回転ノブ２が「ゼロ」位を持ち、その位置から左右両方向へ、例えば４５°ずつ回転できる。その場合、両方向への回転は、終端位置に設置されたストッパー６および７により限定される。
以上のほか、例えば回転ノブ２の回転伝動体と機器の台架固定部との間に戻しバネを挿入することにより、ストッパー６または７の方向へ回転角がそれぞれ増すに従って復元力が増大するように構成することもできる。
そのようにすれば、回転ノブ２は指から離れると常に「ゼロ」位５に戻るようになる。これに関連して付言するが、回転ノブ２が「ゼロ」位５であれば移動速度は「ゼロ」なので、回転ノブ２が指から離れるや否やフォーカシング移動は停止することになる。
【００１４】
回転ノブ２より小さな直径に作られている第１回転ノブ１は左右両方向に自由に回転できる。即ち、この場合では終端制限はなく、回転角の拡大と共に増大するという復元力も存在しない。
回転ノブ１を何れかの方向に回転させることにより、対象物テーブルと顕微鏡本体の相体的移動関係において、それぞれの場合に移動方向と移動距離が予備設定される。
そのために回転ノブ１には角度増分設定装置が備わっていて、それぞれの角度増分が、然るべき制御のもとで回転方向別にどちらかの移動方向へ、単一または複数の距離増分に相当する移動を惹き起こす。
【００１５】
図の右半分に描かれた透光型顕微鏡４の例にあるような、顕微鏡ケーシングにおける両回転ノブ１および２の配置に代えて、本例の場合では、制御、給電配線により顕微鏡本体に連結させた自由可動式手動操作装置にも回転ノブ１および２を取り付けることが可能である。
【００１６】
本発明に基づく装置によれば、モータ駆動装置の照準制御により、フォーカシング移動が簡単な操作により鋭敏な精度で実施できる。そのフォーカシング調整は、回転ノブ１と回転ノブ２を同じ手の指で廻すことにより行う。前者は微調整、後者は粗調整のためのものである。
【図面の簡単な説明】
【図１】本発明に基づく装置の原理構造を示す
【符号の説明】
１、２    回転ノブ
３    駆同軸
４    透光型顕微鏡
５    「ゼロ」位
６、７    ストッパー
【図１】
2004517365.tif 000003
【国際公開パンフレット】
2004517365.tif 000004
2004517365.tif 000005
2004517365.tif 000006
2004517365.tif 000007
2004517365.tif 000008
2004517365.tif 000009
2004517365.tif 000010
2004517365.tif 000011
2004517365.tif 000012
2004517365.tif 000013
2004517365.tif 000014
2004517365.tif 000015
【国際公開パンフレット（コレクトバージョン）】
2004517365.tif 000016
2004517365.tif 000017
【国際調査報告】
2004517365.tif 000018
2004517365.tif 000019
2004517365.tif 000020
2004517365.tif 000021
2004517365.tif 000022
2004517365.tif 000023